(57)【要約】【課題】  インキ特性に合った版面上のインキ膜厚を最適化するため、インキつぼの自動調整装置及び方法を提案することを目的とする。【解決手段】  インキ特性値を入力する入力手段（１０１）と、インキ特性値を基にインキつぼ（２）のインキ出しローラ（３）に対する適正な位置及び適正な角度を算出する算出手段（１０２）と、算出されたデータを位置調整用駆動器具（７ａ、７ｂ）及び角度調整用駆動器具（１０ａ、１０ｂ）に伝達する指令手段（１０３）と、伝達された位置データを基に所望の位置に調整する位置調整手段（１０４）と、伝達された適正な角度データを基に所望の角度に調整する角度調整手段（１０５）と、インキ出しローラにインキを送り出すインキつぼ装置（１７）と、インキ特性値、位置データ及び角度データを記憶する記憶手段（１０６）と、表示する表示手段（１０７）から成るインキつぼの自動調整装置。【選択図】  図１
2005324332.tif 000002
【特許請求の範囲】
【請求項１】
インキつぼのインキ出しローラに対する位置及び角度を所望の位置及び所望の角度に自動調整するインキつぼの自動調整装置において、
インキ特性値を入力する入力手段と、
あらかじめ記憶されているインキ特性値と、インキ特性値に対応したインキつぼの位置データ及び角度データを基に、前記入力したインキ特性値から、前記インキつぼの前記インキ出しローラに対する適正位置及び適正角度を算出する算出手段と、
前記算出手段により算出された適正な位置データから、前記インキつぼの前記インキ出しローラに対する位置を自動で調整する位置調整用駆動器具と、調整した前記インキつぼの位置が印刷中に動かないように自動で固定し保持する内蔵ブレーキを組み込んだ位置固定用器具から成る位置調整部及び前記算出手段により算出された適正な角度データから、前記インキ出しローラに対する角度を自動で調整する角度調整用駆動器具と、調整した前記インキつぼの角度を印刷中に動かないように固定し保持する内蔵ブレーキを組み込んだ角度固定用器具から成る角度調整部に、それぞれ伝達する指令手段と、
印刷機のフレームの内側に、インキを送り出すインキ出しローラの軸心に対し円弧状に上下に揺動するように設けたアームにより支持され、前記アームと連動する位置調整用サブフレームと、前記位置調整部とから成り、前記指令手段により伝達された前記適正な位置データを基に、前記インキつぼの前記インキ出しローラに対する位置を調整する位置調整手段と、
前記位置調整用サブフレームの内側に、前記インキ出しローラの円周上の１点を支点として上下に揺動するように設けられた支点軸により支持され、前記位置調整用サブフレームと連動する角度調整用サブフレームと、前記角度調整部とから成り、前記指令手段により伝達された前記適正な角度データを基に、前記インキつぼの前記インキ出しローラに対する角度を調整する角度調整手段とから成るインキつぼの自動調整装置。
【請求項２】
請求項１記載のインキつぼの自動調整装置に、前記入力したインキ特性値、並びに前記インキつぼの前記インキ出しローラに対する前記適正な位置データ及び前記適正な角度データを記憶する記憶手段を含んで成るインキつぼの自動調整装置。
【請求項３】
請求項１又は２記載のインキつぼの自動調整装置に、前記入力したインキ特性値、並びに前記インキつぼの前記インキ出しローラに対する前記適正な位置データ及び適正な角度データを表示する表示手段を含んで成るインキつぼの自動調整装置。
【請求項４】
インキつぼのインキ出しローラに対する位置及び角度を所望の位置及び所望の角度に自動調整するインキつぼの自動調整方法において、
入力手段によってインキ特性値を入力し、
算出手段によって、あらかじめ記憶されているインキ特性値と、インキ特性値に対応したインキつぼの位置データ及び角度データを基に、前記入力したインキ特性値から、前記インキつぼの前記インキ出しローラに対する適正位置及び適正角度を算出し、
前記算出手段により算出された適正な位置データを、指令手段によって、前記インキつぼの前記インキ出しローラに対する位置を自動で調整する位置調整用駆動器具と、調整した前記インキつぼの位置が印刷中に動かないように自動で固定し保持する内蔵ブレーキを組み込んだ位置固定用器具から成る位置調整部に、前記算出手段により算出された角度データを、指令手段によって、前記インキ出しローラに対する角度を調整する角度調整用駆動器具と、調整した前記インキつぼの角度を印刷中に動かないように固定し保持する内蔵ブレーキを組み込んだ角度固定用器具から成る角度調整部にそれぞれ伝達し、
前記指令手段により伝達された前記適正な位置データを基に、位置調整手段によって、前記インキつぼの前記インキ出しローラに対する位置を自動で調整すると共に、調整した前記インキつぼの位置が印刷中に動かないように自動で固定及び保持し、
前記指令手段により伝達された前記適正な角度データを基に、前記指令手段によって、前記インキつぼの前記インキ出しローラに対する角度を自動で調整すると共に、調整した前記インキつぼの角度が印刷中に動かないように自動で固定及び保持することを特徴とするインキつぼの自動調整方法。
【発明の詳細な説明】
【技術分野】
【０００１】
本発明は、インキ特性に見合ったインキ出し量を調整し、版面上のインキ膜厚を最適化するためのインキつぼの自動調整装置及び自動調整方法に関するものである。
【背景技術】
【０００２】
通常、インキつぼ装置におけるインキ出しローラ上のインキ膜厚制御は、インキつぼキーの開度によりインキつぼキーの先端とインキ出しローラとの間隔（開度）で調整する機構となっている。この間隔を調整する方法としては、オペレータの熟練を必要としていることが多く、個人差や日毎差等もあり正確なものではなかった。これを受け、近年、自動的にインキ膜厚を制御しようとする方向へと変化してきたが、まだまだ完全なものとは言えない状況である。
【０００３】
自動的にインキ膜厚の調整を行う方法の一例として、インキキー（インキつぼキー）の開度値補正装置が提案されている。これは、インキ出しローラの上に、短波長の電波を発信する発信器とインキ出しローラの周面で反射した反射波を受信する受信器を設けた装置である。まず、インキ出しローラ（インキ出しローラの周面に供給されているインキ）に向けて発信器から電波を発信させる。発信させた電波をインキ出しローラで反射させ、反射波を受信器で受信し、発信された電波が受信されるまでの経過時間を測定する。測定した経過時間によってインキ出しローラの周面に供給されているインキの膜厚を検出できる。経過時間が基準よりも短ければ、インキ膜厚が基準よりも厚いと判断しインキキーの開度を閉鎖する。逆に経過時間が基準よりも長ければ、インキ膜厚が基準よりも薄いと判断しインキキーの開度を開放する。この双方の微調整によりインキキーの開度量を補正し、インキ膜厚を調整しようとするものである（例えば、特許文献１参照）。
【０００４】
また、インキ膜厚の調整を行う方法としては、インキつぼキーの先端とインキ出しローラとの間隔（開度）で調整する機構の他に、インキつぼのインキ出しローラに対する取り付け位置及び取り付け角度を調整する方法も考えられるが、インキつぼについては、印刷機メーカのノウハウにより所定の位置に、所定の角度で固定されていた。
【０００５】
しかし、本出願人による先の特許出願のインキ供給装置において、印刷機のフレームの内側に、インキ出しローラの軸心に対し円弧状に上下に揺動するように設けたアームにより支持され、アームと連動する位置調整用サブフレームと、インキつぼの位置をインキ出しローラに対し上下に調整し所望の位置に配置する位置調整用器具と、位置調整用器具により所望の位置に調整されたインキつぼの位置が印刷中に動かないように固定し、保持する位置固定用器具とから成る位置調整機構と、位置調整用サブフレームの内側に、インキ出しローラの円周上の１点を支点とし上下に揺動するように設けられた支点軸により支持され、位置調整用サブフレームと連動する角度調整用サブフレームと、位置調整機構により所望の位置に保持されたインキつぼのインキ出しローラに対する角度を、インキ出しローラに対し上下に調整し所望の角度に配置する角度調整用器具と、角度調整用器具により所望の角度に調整されたインキつぼの位置を印刷中に動かないように固定し、保持する角度固定用器具から成る角度調整機構と、角度調整用サブフレームの内側に支持されており、インキつぼ及びインキつぼキーを装着したつぼ支持台をインキつぼ取り付け軸で固定したインキつぼ装置とを備えている構成にすることにより、インキつぼのインキ出しローラに対する位置及び角度の調整を自在に行えるようになった（例えば、特許文献２参照）。
【０００６】
【特許文献１】特開平０７−４７６５９号公報
【特許文献２】特願２００４−５９４５２号出願書類
【発明の開示】
【発明が解決しようとする課題】
【０００７】
本出願人による先の特許出願（前記特許文献２）において、従来は調整ができなかったインキつぼのインキ出しローラに対する位置及び角度の調整が可能になったことにより、インキの種類、インキの特性及び版面の画線深度に見合ったインキ出し量を調整できるようになった。しかし、調整するための調整器具や調整後にインキつぼを固定する固定器具の操作は手動で行うものであり、オペレータの作業負荷軽減といった観点から見て開発の余地があった。
【０００８】
本発明は、上記課題の解決を目的とするものであり、具体的には、インキのインキ特性に合った版面上のインキ膜厚を最適化するための、インキつぼの自動調整装置及びその自動調整方法を提案する。
【課題を解決するための手段】
【０００９】
本発明のインキつぼの自動調整装置は、インキ特性値を入力する入力手段と、あらかじめ記憶されているインキ特性値と、インキ特性値に対応したインキつぼの位置データ及び角度データを基に、入力したインキ特性値から、インキつぼのインキ出しローラに対する適正位置及び適正角度を算出する算出手段と、算出手段により算出された適正な位置データから、インキつぼのインキ出しローラに対する位置を自動で調整する位置調整用駆動器具と、調整したインキつぼの位置が印刷中に動かないように自動で固定し保持する内蔵ブレーキを組み込んだ位置固定用器具から成る位置調整部及び算出手段により算出された適正な角度データから、インキ出しローラに対する角度を自動で調整する角度調整用駆動器具と、調整したインキつぼの角度を印刷中に動かないように固定し保持する内蔵ブレーキを組み込んだ角度固定用器具から成る角度調整部に、それぞれ伝達する指令手段と、印刷機のフレームの内側に、インキを送り出すインキ出しローラの軸心に対し円弧状に上下に揺動するように設けたアームにより支持され、アームと連動する位置調整用サブフレームと、位置調整部とから成り、指令手段により伝達された適正な位置データを基に、インキつぼのインキ出しローラに対する位置を調整する位置調整手段と、位置調整用サブフレームの内側に、インキ出しローラの円周上の１点を支点として上下に揺動するように設けられた支点軸により支持され、位置調整用サブフレームと連動する角度調整用サブフレームと、角度調整部とから成り、指令手段により伝達された適正な角度データを基に、インキつぼのインキ出しローラに対する角度を調整する角度調整手段とから成ることを特徴とする。
【００１０】
本発明のインキつぼの自動調整装置は、請求項１記載のインキつぼの自動調整装置に、入力したインキ特性値、並びにインキつぼのインキ出しローラに対する適正な位置データ及び適正な角度データを記憶する記憶手段を含んで成ることを特徴とする。
【００１１】
本発明のインキつぼの自動調整装置は、請求項１又は２記載のインキつぼの自動調整装置に、入力したインキ特性値、並びにインキつぼのインキ出しローラに対する適正な位置データ及び適正な角度データを表示する表示手段を含んで成ることを特徴とする。
【００１２】
本発明のインキつぼの自動調整方法は、インキつぼのインキ出しローラに対する位置及び角度を所望の位置及び所望の角度に自動調整するインキつぼの自動調整方法において、入力手段によってインキ特性値を入力し、算出手段によって、あらかじめ記憶されているインキ特性値と、インキ特性値に対応したインキつぼの位置データ及び角度データを基に、入力したインキ特性値から、インキつぼのインキ出しローラに対する適正位置及び適正角度を算出し、算出手段により算出された適正な位置データを、指令手段によって、インキつぼのインキ出しローラに対する位置を自動で調整する内蔵ブレーキを組み込んだ位置調整用駆動器具と、調整したインキつぼの位置が印刷中に動かないように自動で固定し保持する位置固定用器具から成る位置調整部に、算出手段により算出された角度データを、指令手段によって、インキ出しローラに対する角度を調整する角度調整用駆動器具と、調整したインキつぼの角度を印刷中に動かないように固定し保持する内蔵ブレーキを組み込んだ角度固定用器具から成る角度調整部に、それぞれ伝達し、指令手段により伝達された適正な位置データを基に、位置調整手段によって、インキつぼのインキ出しローラに対する位置を自動で調整すると共に、調整したインキつぼの位置が印刷中に動かないように自動で固定及び保持し、指令手段により伝達された適正な角度データを基に、指令手段によってインキつぼのインキ出しローラに対する角度を自動で調整すると共に、調整したインキつぼの角度が印刷中に動かないように自動で固定及び保持することを特徴とする。
【００１３】
本発明のインキつぼの自動調整方法は、記憶手段によって入力したインキ特性値、並びにインキつぼのインキ出しローラに対する適正な位置データ及び適正な角度データを記憶することを含んで成ることを特徴とする。
【００１４】
本発明のインキつぼの自動調整方法は、表示手段によって入力したインキ特性値、並びにインキつぼのインキ出しローラに対する適正な位置データ及び適正な角度データを表示することを含んで成ることを特徴とする。
【発明の効果】
【００１５】
オペレータはインキ特性値を入力するだけで、その特性値に見合ったインキつぼのインキ出しローラに対する位置及び角度の調整が自動で成されるため、作業経験の未熟なオペレータでも容易に位置及び角度の調整ができると共に、オペレータの作業負荷軽減にもなる。
【発明を実施するための最良の形態】
【００１６】
本発明を実施するための最良の形態を、図１に示すインキつぼの自動調整装置の平面図、及び図２に示すインキつぼの自動調整装置のブロック図を参照して説明する。
【００１７】
インキ特性値を入力する入力手段（１０１）と、
【００１８】
あらかじめ記憶手段（１０６）に記憶されたインキ特性値とインキつぼ（２）のインキ出しローラ（３）に対する位置データ及び角度デーを基に、入力したインキ特性値から、インキつぼ（２）のインキ出しローラ（３）に対する適正位置及び適正角度を算出する算出手段（１０２）と、
【００１９】
算出手段（１０２）により算出された適正な位置データを、インキつぼ（２）のインキ出しローラ（３）に対する位置を自動で所望の位置に調整すると共に、インキつぼ（２）の位置が印刷中に動かないように自動で固定し、保持させる位置調整部（７ａ、７ｂ、１８ａ、１８ｂ）に及び算出手段（１０２）により算出された適正な角度データを、インキ出しローラ（３）に対し所望の角度に調整すると共に、インキつぼ（２）の角度を印刷中に動かないように固定し、保持させる角度調整部（１０ａ、１０ｂ、１９ａ、１９ｂ）にそれぞれ伝達する指令手段（１０３）と、
【００２０】
印刷機のフレーム（１ａ、１ｂ）の内側に支持されており、インキを送り出すインキ出しローラ（３）の軸心に対し円弧状に上下に揺動するように設けたアーム（１３ａ、１３ｂ）により、アーム（１３ａ、１３ｂ）と連動する位置調整用サブフレーム（６ａ、６ｂ）と、位置調整部（７ａ、７ｂ、１８ａ、１８ｂ）とから成り、指令手段（１０３）により伝達された適正な位置データを基に、インキつぼ（２）のインキ出しローラ（３）に対する位置を調整する位置調整手段（１０４）と、
【００２１】
位置調整用サブフレーム（６ａ、６ｂ）の内側に支持されており、インキ出しローラ（３）の円周上の１点を支点として上下に揺動するように設けられた支点軸（１６ａ、１６ｂ）により、位置調整用サブフレーム（６ａ、６ｂ）と連動する角度調整用サブフレーム（９ａ、９ｂ）と、角度調整部（１０ａ、１０ｂ、１９ａ、１９ｂ）とから成り、指令手段（１０３）により伝達された適正な角度データを基に、インキつぼ（２）のインキ出しローラ（３）に対する角度を調整する角度調整手段（１０５）と、
【００２２】
入力したインキ特性値、並びにインキつぼ（２）のインキ出しローラ（３）に対する適正な位置データ及び適正な角度データを記憶する記憶手段（１０６）と、
【００２３】
入力したインキ特性値、並びにインキつぼ（２）のインキ出しローラ（３）に対する適正な位置データ及び適正な角度データを表示する表示手段とから成るインキつぼの自動調整装置である。
【実施例】
【００２４】
本発明を、図４に示すインキ供給装置の平面図、図５に示すインキ供給装置の側面図、図６に示すインキつぼの位置変更図及び図７に示すインキつぼの角度変更図を参照し、実施例によって更に詳細に説明する。
【００２５】
インキつぼの自動調整装置は、入力手段（１０１）、算出手段（１０２）、指令手段（１０３）、位置調整手段（１０４）、角度調整手段（１０５）、インキつぼ装置（１７）、記憶手段（１０６）及び表示手段（１０７）から構成されている。また、入力手段（１０１）、算出手段（１０２）、指令手段（１０３）、記憶手段（１０６）及び表示手段（１０７）に関しては、情報処理装置（８）において処理される。
【００２６】
インキつぼの自動調整装置における入力手段（１０１）では、オペレータによりインキ特性値が入力される。インキ特性値を入力する方法として、本実施例ではオペレータによるパソコン入力とするが、インキ特性値が入力手段に入力されればこれに限定されるものではなく、例えばインキ特性値をバーコード化しバーコードリーダによる入力手段も可能である。また、インキ特性値としてはインキの流動性（インキの流れ具合）を表す種類のことであり、タック、フロー、インキ粘度、インキ温度及びインキ降伏価等が関係している。インキ降伏価とは、外からの力が加わり流動が始まる初期点のことを言う。
【００２７】
インキつぼの自動調整装置における算出手段（１０２）では、あらかじめ記憶手段（１０６）に記憶されたインキ特性値と、インキつぼ（２）のインキ出しローラ（３）に対する位置データおよび角度データを基に、入力手段（１０１）で入力されたインキの特性値から、インキ出しローラ（３）にインキを供給するインキつぼ（２）のインキ出しローラ（３）に対する適正位置及び適正角度が算出される。
【００２８】
インキつぼの自動調整装置における指令手段（１０３）では、算出手段（１０２）により算出されたインキつぼ（２）のインキ出しローラ（３）に対する適正な位置データ及び適正な角度データを、ドライバー（１１）を介してそれぞれ位置調整部（７ａ、７ｂ、１８ａ、１８ｂ）及び角度調整部（１０ａ、１０ｂ、１９ａ、１９ｂ）に伝達される。算出されたインキつぼ（２）のインキ出しローラ（３）に対する適正な位置データ及び適正な角度データを、それぞれ位置調整部（７ａ、７ｂ、１８ａ、１８ｂ）及び角度調整部（１０ａ、１０ｂ、１９ａ、１９ｂ）に伝達する際、本実施例ではドライバー（１１）を介して算出結果を駆動の指令信号に変換するが、駆動の指令信号が位置調整部（７ａ、７ｂ、１８ａ、１８ｂ）及び角度調整部（１０ａ、１０ｂ、１９ａ、１９ｂ）に伝達されればよく、これに限定されるものではない。
【００２９】
インキつぼの自動調整装置における位置調整手段（１０４）では、指令手段（１０３）から伝達された適正な位置データを基に、インキつぼ（２）のインキ出しローラ（３）に対する位置が所望の位置に調整される。
【００３０】
位置調整手段（１０４）は、位置調整用サブフレーム（６ａ、６ｂ）と、位置調整部（７ａ、７ｂ、１８ａ、１８ｂ）とから構成されており、位置調整部は、位置調整用駆動器具（７ａ、７ｂ）と、位置調整用駆動器具に内蔵されている位置固定用器具（１８ａ、１８ｂ）とから構成されている。位置調整用サブフレーム（６ａ、６ｂ）は、印刷機のフレーム（１ａ、１ｂ）の内側に支持されており、インキ出しローラ（３）の軸心に対し円弧状に上下に揺動するように設けたアーム（１３ａ、１３ｂ）により、アームと連動する。インキつぼ（２）のインキ出しローラ（３）に対する位置が、位置調整用駆動器具（７ａ、７ｂ）によって自動で所望の位置に調整され、所望の位置に調整されたインキつぼ（２）の位置が印刷中に動かないように位置固定用器具（１８ａ、１８ｂ）によって固定し保持される。
【００３１】
位置調整用駆動器具（７ａ、７ｂ）として、例えばモータを使用する。算出され伝達された適正な位置データを基に、インキつぼ（２）のインキ出しローラ（３）に対する位置がモータにより自動で上下し、所望の位置に調整される機構となっている。所望の位置に調整された後、印刷中にインキつぼ（２）が動かないように固定し保持するためモータ内に位置固定用器具（１８ａ、１８ｂ）として内蔵ブレーキが組み込まれている。このモータに組み込まれている内蔵ブレーキにてインキつぼが固定し、保持され、インキつぼ（２）及びインキ出しローラ（３）に対する位置の調整が終了する。
【００３２】
また、印刷機の両側に配置されているフレーム（１ａ、１ｂ）と位置調整用サブフレーム（６ａ、６ｂ）は、アーム（１３ａ、１３ｂ）によって連動するようになっており、アーム（１３ａ、１３ｂ）の一端は、印刷機のフレーム（１ａ、１ｂ）に固定軸（１４ａ、１４ｂ）によって固定されており、もう一端は、位置調整用サブフレーム（６ａ、６ｂ）にインキ出しローラ（３）を軸心にして円弧状に上下に揺動するように揺動軸（１５ａ、１５ｂ）に取り付けられている。
【００３３】
さらに、位置調整用サブフレーム（６ａ、６ｂ）は、インキ出しローラ（３）の軸心から一定距離にありアーム（１３ａ、１３ｂ）の印刷機のフレームに固定された固定軸（１４ａ、１４ｂ）を支点とし、インキ出しローラ（３）の軸心に対し、円弧状に揺動軸（１５ａ、１５ｂ）を上下に揺動することで、インキつぼ（２）とインキ出しローラの位置が調整可能である。図６（ａ）に示すように、通常、インキつぼ（２）のインキ出しローラ（３）に対する位置は、インキ出しローラ（３）の軸心に対してマイナス２５度で接触しており、図６（ａ）及び図６（ｂ）に示すように、調整可能範囲はマイナス２５度からマイナス１０度までの１５度の範囲で調整が可能である。
【００３４】
インキつぼの自動調整装置における角度調整手段（１０５）では、位置調整手段（１０４）によりインキつぼ（２）のインキ出しローラ（３）に対する位置が所望の位置に調整された後、指令手段（１０３）から伝達された適正な角度データを基に、インキつぼ（２）のインキ出しローラ（３）に対する角度が所望の角度に調整される。
【００３５】
角度調整手段（１０５）は、角度調整用サブフレーム（９ａ、９ｂ）と、角度調整部（１０ａ、１０ｂ、１９ａ、１９ｂ）とから構成されており、角度調整部は、角度調整用駆動器具（１０ａ、１０ｂ）と、角度調整用駆動器具に内蔵されている角度固定用器具（１９ａ、１９ｂ）とから構成されている。角度調整用サブフレーム（９ａ、９ｂ）は、位置調整用サブフレーム（６ａ、６ｂ）の内側に支持されており、インキ出しローラ（３）の円周上の１点を支点とし上下に揺動するように設けられた支点軸（１６ａ、１６ｂ）により、位置調整用サブフレーム（６ａ、６ｂ）と連動するようになっている。インキつぼ（２）のインキ出しローラ（３）に対する角度が、角度調整用駆動器具（１０ａ、１０ｂ）によって自動で所望の角度に調整され、所望の角度に調整されたインキつぼ（２）の角度が印刷中に動かないように角度固定用器具（１９ａ、１９ｂ）によって固定し保持される。
【００３６】
角度調整用駆動器具（１０ａ、１０ｂ）として、例えばモータを使用する。算出され伝達された適正な角度データを基に、インキつぼ（２）のインキ出しローラ（３）に対する角度がモータにより自動で上下し、所望の角度に調整される機構となっている。所望の角度に調整された後、印刷中にインキつぼ（２）が動かないように固定し保持するためモータ内に角度固定用器具（１９ａ、１９ｂ）として内蔵ブレーキが組み込まれている。このモータに組み込まれている内蔵ブレーキにてインキつぼが固定し、保持され、インキつぼ（２）及びインキ出しローラ（３）に対する角度の調整が終了する。
【００３７】
また、位置調整用サブフレーム（６ａ、６ｂ）と角度調整用サブフレーム（９ａ、９ｂ）とは、支点軸（１６ａ、１６ｂ）で連動するように取り付けられている。
【００３８】
さらに、角度調整用サブフレーム（９ａ、９ｂ）は、インキ出しローラ（３）の円周上にある支点軸（１６ａ、１６ｂ）を支点とし、角度調整用サブフレーム（９ａ、９ｂ）を上下に揺動することで、インキつぼ（２）とインキ出しローラ（３）の円弧との角度が調整可能である。図７（ａ）に示すように、通常、インキつぼ（２）のインキ出しローラ（３）に対する角度はインキ出しローラ（３）に対して側面から見て、接触点の水平線を基準として２２度で接触しており、図７（ａ）及び図７（ｂ）に示すように、２２度から３０度までの８度の範囲で調整が可能である。
【００３９】
インキつぼの自動調整装置におけるインキつぼ装置（１７）では、印刷インキを収容するためのインキつぼ（２）と、インキつぼに隣接しインキつぼからインキを送り出すためのインキ出しローラ（３）と、インキつぼ内にあってインキ出しローラに摺接しローラ上のインキ膜厚を制御するため複数配置されているインキつぼキー（４）と、インキつぼ（２）及びインキつぼキー（４）を装着しているつぼ支持台（５）とから成っており、角度調整用サブフレーム（９ａ、９ｂ）に、インキつぼ取り付け軸（１２）で固定されている。
【００４０】
インキつぼの自動調整装置における記憶手段（１０６）では、インキの特性値、並びにインキつぼ（２）のインキ出しローラ（３）に対する適正な位置データ及びインキつぼ（２）のインキ出しローラ（３）に対する適正な角度データを記憶する。
【００４１】
インキつぼの自動調整装置における表示手段（１０７）では、インキの特性値、並びにインキつぼ（２）のインキ出しローラ（３）に対する適正な位置データ及びインキつぼ（２）のインキ出しローラ（３）に対する適正な角度データを表示する。
【００４２】
凹版印刷機のインキ供給装置におけるインキつぼの自動調整方法の流れを図３に従って説明する。
【００４３】
まず、オペレータによって使用するインキのインキ特性値がパソコンから入力される。
【００４４】
入力されたインキ特性値を基に、インキつぼ（２）からインキ出しローラ（３）にインキを送り出すインキ出し量が最適となるように、インキつぼ（２）のインキ出しローラ（３）に対する適正な位置及び適正な角度が算出される。
【００４５】
入力されたインキ特性値、並びに算出された適正な位置データ及び算出された適正な角度データは、その都度、記憶手段（１０６）に記憶され、それと同時に表示手段（１０７）に表示されるようになっており、オペレータがいつでも確認できる状態となっている。
【００４６】
算出された適正な位置データが、指令手段（１０３）によりドライバー（１１）を介して位置調整手段（１０４）のモータへ伝達される。伝達された指令を基に、モータによって固定軸（１４ａ、１４ｂ）を支点として揺動軸（１５ａ、１５ｂ）と連動している位置調整用サブフレーム（６ａ、６ｂ）が、インキ出しローラ（３）の軸心に対し円弧状に上下に揺動をし、インキつぼ（２）のインキ出しローラ（３）に対する位置が所望の位置に調整される。インキつぼ（２）が所望の位置に調整されると、モータ内の内蔵ブレーキによって固定され、インキつぼ（２）のインキ出しローラ（３）に対する位置変更が終了する。
【００４７】
次に、算出された適正な角度データが、指令手段（１０３）によりドライバー（１１）を介して角度調整手段（１０５）のモータへ伝達される。伝達された指令を基に、モータによって支点軸（１６ａ、１６ｂ）を支点として角度調整用サブフレーム（９ａ、９ｂ）を上下に揺動をし、インキつぼ（２）のインキ出しローラ（３）に対する角度が所望の角度に調整される。インキつぼ（２）が所望の角度に調整されると、モータ内の内蔵ブレーキによって固定されインキつぼ（２）のインキ出しローラ（３）に対する角度変更が終了する。
【図面の簡単な説明】
【００４８】
【図１】本発明の一実施例であるインキつぼの自動調整装置を示す図である。
【図２】本発明の一実施例であるインキつぼの自動調整装置のブロック図である。
【図３】本発明の一実施例であるインキつぼの自動調整方法のフローチャートである。
【図４】本発明の一実施例であるインキ供給装置の平面図である。
【図５】本発明の一実施例であるインキ供給装置の側面図である。
【図６】本発明の一実施例であるインキつぼの位置変更を示す図である。
【図７】本発明の一実施例であるインキつぼの角度変更を示す図である。
【符号の説明】
【００４９】
１ａ、１ｂ  フレーム
２  インキつぼ
３  インキ出しローラ
４  インキつぼキー
５  つぼ支持台
６ａ、６ｂ  位置調整用サブフレーム
７ａ、７ｂ  位置調整用駆動器具
８  情報処理装置
９ａ、９ｂ  角度調整用サブフレーム
１０ａ、１０ｂ  角度調整用駆動器具
１１  ドライバー
１２  インキつぼ取り付け軸
１３ａ、１３ｂ  アーム
１４ａ、１４ｂ  固定軸
１５ａ、１５ｂ  揺動軸
１６ａ、１６ｂ  支点軸
１７  インキつぼ装置
１８ａ、１８ｂ  位置固定用器具
１９ａ、１９ｂ  角度固定用器具
１０１  入力手段
１０２  算出手段
１０３  指令手段
１０４  位置調整手段
１０５  角度調整手段
１０６  記憶手段
１０７  表示手段
【図１】
2005324332.tif 000003
【図２】
2005324332.tif 000004
【図３】
2005324332.tif 000005
【図４】
2005324332.tif 000006
【図５】
2005324332.tif 000007
【図６】
2005324332.tif 000008
【図７】
2005324332.tif 000009